(57)【要約】      （修正有）【課題】保安灯の向きを気にすることなくカットコーンに装着することができるとともに、保安灯を外すことなくコーンバーの着脱を行うことができる保安灯を提供する。【解決手段】保安灯は、カットコーンの頂面部上に載置可能な円盤状の基盤部１１と、該基盤部１１の下面側の中央部に下方向に延在するように配設された有底円筒状のバッテリー収納部１２と、基盤部１１の上部を覆うように配設された光が透過可能な材料からなるカバー部材１７とによって構成される。光が透過可能な材料からなるカバー部材１７は、上部が閉止されている正多角形筒状に形成されている。カバー部材１７の内部には、カバー部材１７の各面と平行となるような正多角形筒状の反射板部材１８が配設されている。反射板部材１８の各面には、交互に上下となるように光反射面部１８ａ，１８ｂが形成されている。各光反射面部の中央部には発光体１５が配設されている。【選択図】図２
0003221094.tif 000002
【実用新案登録請求の範囲】
【請求項１】
道路の工事現場等で使用される円錐台形状で頂面部の中央に円形の透孔部を有するカットコーンに載置して使用可能な保安灯において、
当該保安灯は、前記カットコーンの頂面部上に載置可能な円盤状の基盤部と、該基盤部の下面側の中央部に下方向に延在するように配設された有底円筒状のバッテリー収納部と、前記円盤状の基盤部の上部を覆うように配設された光が透過可能な材料からなるカバー部材とによって構成され、
前記カバー部材は、上部が閉止されている正多角形筒状の形状に形成され、当該カバー部材の内部の前記基盤部の上部には、前記カバー部材と同様の正多角形筒状で且つ前記カバー部材よりも小さい正多角形筒状の反射板部材が、その各面が前記正多角形状の前記カバー部材の各面とそれぞれ平行となるように配設され、
前記正多角形筒状の前記反射板部材の各面には、凹状の曲面である光反射面部がそれぞれ形成され、且つ、当該光反射面部は、前記正多角形筒状の前記反射板部材の相隣接する面において上下方向に異なる位置となるように配設され、
前記反射板部材の各面に配設された前記光反射面部の中央部には、前記バッテリー収納部内のバッテリーによって点灯する発光体がそれぞれ配設されていることを特徴とする保安灯。
【請求項２】
前記正多角形筒状のカバー部材の各面の中央部には、当該カバー部材の内部に配設されている前記発光体から放射される光を集光するための凸状の曲面を有する集光部が配設されていることを特徴とする請求項１に記載の保安灯。
【考案の詳細な説明】
【技術分野】
【０００１】
本考案は、道路の工事現場等に配置される円錐台形状のカットコーンの上部に載置して使用可能な保安灯であって、従来から用いられている保安灯専用の取付金具を用いて単管やフェンスや看板等にも装着することができる保安灯に関するものである。
【背景技術】
【０００２】
従来から、夜間の工事現場やトンネル内の工事現場のように暗い工事現場に配置する円錐台形状のカットコーンには、図６（ａ）に示すような保安灯１をカットコーン２の上部に装着して、カットコーン２の視認性を高めている。
【０００３】
図６（ａ）において、１は保安灯、２はカットコーンである。カットコーン２は、円錐台形状のカットコーン本体２１とその台座部２２とによって構成されている。
【０００４】
図６（ｂ）に示すようにカットコーン２の頂面部２３の中央には円形の透孔部２４が形成されている。保安灯１は、カットコーン２の頂面部２３に載置可能な円盤状の基盤部１１と、その下面の中央部に設けられた有底円筒状のバッテリー収納部１２と、基盤部１１の上部を覆うように配設された光が透過可能な材料からなるカバー部材１３とによって構成されている。
【０００５】
このカバー部材１３の内部には、円盤状の基盤部１１の外側の方向に向う光を放射するように複数個の発光体（ＬＥＤ等の発光体）が配設されている。図７に示すように、カバー部材１３の内部に配設されている発光体１５は、バッテリー収納部１２内のバッテリー１４の電力を用いて点灯するものであり、その点滅は、カバー部材１３の内部に配設されている発光制御装置１６によって制御されている。ここで、従来の保安灯１の中には、保安灯１のカバー部材１３内部の上面側にソーラーパネルを配設して、そのソーラーパネルから出力される電力を用いてバッテリー１４を充電するように構成してあるものもある。
【０００６】
以上のように構成された従来の保安灯１を、図８に示すようにカットコーン２の上部に装着して、その内部の発光体を点滅させると、その発光体の光は主に前面方向と後面方向とに向かって遠方にまで届くので、この方向にいる遠方のドライバーや歩行者に対して注意を促すことができる。
【０００７】
なお、このようなカットコーン２の上部に載置可能な保安灯１は、従来から使用されている保安灯専用の取付金具、すなわちバッテリー収納部１２にその一端側が固定可能で他端側が単管等の装着対象物に固定可能な専用の取付金具を用いることによって単管やフェンスや看板等にも装着することができる。
【０００８】
また、図８に示すように、相隣接するカットコーン２の間に所謂コーンバー３を配設して、歩行者や自動車の進行を規制する場合がある。このようなコーンバー３は、棒状のバー本体３の両端部に、カットコーン２の上部にのみが挿入可能な径を有する係止リング部３２が配設されているものであり、この係止リング部３２を用いてカットコーン２への着脱を容易に行うことができるものである。
【考案の概要】
【考案が解決しようとする課題】
【０００９】
以上のように構成された従来の保安灯１では、主に前面方向と後面方向とに放射される光が遠方に届くように構成されているので、使用者は、歩行者や自動車が向かってくる方向に前面または後面を向けるようにしてカットコーン２の頂面部に保安灯１を載置する。
【００１０】
しかしながら、何らかの原因で歩行者や作業車などの物がカットコーン２や保安灯１に接触した場合、保安灯１の向きが変ってしまうことがある。このようになった場合には、歩行者や自動車が向かってくる方向に光が遠方まで届かなくなってしまうので、保安灯１の効果が減じてしまうという問題があった。
【００１１】
さらに、図８に示したようにコーンバー３を使用する際、図９（ａ），（ｂ）に示したように、従来の保安灯１においてはカバー部材１３が大きく、コーンバー３の係止リング部３２の内を通すことができないため、コーンバー３の着脱時には保安灯１をカットコーン２から一旦外さなければならないという煩わしさがあった。
【課題を解決するための手段】
【００１２】
以上の問題を解消するために、本考案は、道路の工事現場等で使用される円錐台形状で頂面部の中央に円形の透孔部を有するカットコーンに載置して使用可能な保安灯において、当該保安灯は、前記カットコーンの頂面部上に載置可能な円盤状の基盤部と、該基盤部の下面側の中央部に下方向に延在するように配設された有底円筒状のバッテリー収納部と、前記円盤状の基盤部の上部を覆うように配設された光が透過可能な材料からなるカバー部材とによって構成され、前記カバー部材は、上部が閉止されている正多角形筒状の形状に形成され、当該カバー部材の内部の前記基盤部の上部には、前記カバー部材と同様の正多角形筒状で且つ前記カバー部材よりも小さい正多角形筒状の反射板部材が、その各面が前記正多角形状の前記カバー部材の各面とそれぞれ平行となるように配設され、前記正多角形筒状の前記反射板部材の各面には、凹状の曲面である光反射面部がそれぞれ形成され、且つ、当該光反射面部は、前記正多角形筒状の前記反射板部材の相隣接する面において上下方向に異なる位置となるように配設され、前記反射板部材の各面に配設された前記光反射面部の中央部には、前記バッテリー収納部内のバッテリーによって点灯する発光体がそれぞれ配設されていることを特徴とするものである。ここで、前記正多角形筒状のカバー部材の各面の中央部には、当該カバー部材の内部に配設されている前記発光体から放射される光を集光するための凸状の曲面を有する集光部が配設されていてもよい。
【考案の効果】
【００１３】
本考案によれば、保安灯の側方の全方向に向かって光が放射されるので、保安灯の向きを気にすることなくカットコーンに装着することができるとともに、保安灯を外すことなくコーンバーの着脱を行うことができる。
【図面の簡単な説明】
【００１４】
【図１】本考案の実施例１の外観構成を示す斜視図である。
【図２】本考案の実施例１の内部構成を示す斜視図である。
【図３】本考案の実施例１の内部構成の説明図である。
【図４】本考案の実施例１の使用方法の説明図である。
【図５】本考案の実施例１の使用方法の説明図である。
【図６】従来の保安灯の構成を示す斜視図である。
【図７】従来の保安灯の構成の説明図である。
【図８】従来の保安灯の使用方法の説明図である。
【図９】従来の保安灯の使用方法の説明図である。
【考案を実施するための形態】
【００１５】
以下、図面を用いて本考案の実施例を説明する。
【実施例１】
【００１６】
図１は本考案の実施例１の外観構成を示した斜視図である。
【００１７】
図１において示したように本実施例１も、先に説明した従来例と同様に、円盤状の基盤部１１、バッテリー収納部１２、光が透過可能な材料からなるカバー部材１７とによって構成されている。また、カバー部材１７の内部に配設されている発光体も、図７で示した従来例の発光体１５と同様に、カバー部材１７の内部に配設されている発光制御装置１６によってその点滅が制御される。なお、本実施例１においては、ソーラーパネル１０を用いてバッテリー１４を充電する構成にしてある。
【００１８】
本実施例１が従来例と異なるところは、カバー部材１７の形状と、カバー部材１７の内部に配設されている発光体の配設状態にあるので、以下、これらのものを図面を用いて詳しく説明し、その他の従来例と同様な構成のものについては、その説明を省略する。
【００１９】
図２（ａ）は、カバー部材１７の内部の構成を示した分解斜視図であり、図２（ｂ）はその内部の構成を示す側面図である。
【００２０】
図２（ａ）に示したように、光が透過可能な材料からなるカバー部材１７は、上部が閉止されている正多角形筒状の形状に形成されている。この正多角形筒状のカバー部材１７の各面の中央部には、内部の発光体１５から放射される光を集光するための凸状の曲面を有する集光部１７ａが配設されている。
【００２１】
カバー部材１７の内部には、カバー部材１７と同じ正多角形筒状でカバー部材１７よりも小さい正多角形筒状の反射板部材１８が、その各面がカバー部材１７の各面と平行となるように配設されている。
【００２２】
反射板部材１８の各面には発光体１５から放射される光を反射するための光反射面部１８ａ，１８ｂが形成されている。
【００２３】
光反射面部１８ａ，１８ｂは凹状の曲面に形成されており、光反射面部１８ａは反射板部材１８の上側に配設されている光反射面部であり、光反射面部１８ｂは反射板部材１８の下側に配設されている光反射面部である。図２（ａ），（ｂ）に示すように、正多角形筒状の反射板部材１８の各面には、光反射面部１８ａと光反射面部１８ｂが交互に位置するように光反射面部が形成されている。この各面に形成されている光反射面部１８ａ，１８ｂの中央部にはそれぞれ発光体１５が配設されている。
【００２４】
このように光反射面部１８ａと光反射面部１８ｂが交互に位置するように配設されている理由を説明する。
【００２５】
図３（ａ），（ｂ）に示すように、一般に、凹状の球面の反射板Ｒを用いて、中央部に位置する発光体１５から放射させる光を反射させる場合には、同じ深さｄであるときには、口径ｌが大きい方（図３（ｂ）の方）が反射する光を広く拡散させることができる。従って、広範囲に光を拡散させて放射させたい場合には口径ｌをできるだけ大きくすればよい。
【００２６】
本実施例１においては、図２（ａ），（ｂ）に示したように、正多角形筒状の反射板部材１８の各面に、上下方向に異なる位置の光反射面部１８ａと光反射面部１８ｂとが交互に位置するように配設されているので、相隣接している面の反射面部に影響を与えることなく、各光反射面部の口径を広くするように反射板部材１８の加工を行なうことができる。
【００２７】
なお、本実施例１においては、カバー部材１７と反射板部材１８は共に正６角形筒状に形成されているので、上側の光反射面部１８ａと下側の光反射面部１８ｂを交互に配設してあるが、要は相隣接する面において上下方向の位置が異なっていればよいので、例えば、カバー部材１７と反射板部材１８とが共に正５角形筒状の場合には、上側，中央，下側と３つの位置を適宜選ぶことによって相隣接する面において、光反射面部の位置を異ならせることができる。
【００２８】
以上のように構成された本実施例１によれば、反射板部材１８の光反射面部１８ａ，１８ｂによって、発光体１５から放射される光を拡散させて放射させることができる。従って保安灯１の側方の全方向に向って光が放射されるので、保安灯の向きを気にすることなくカットコーン２に装着することができる。
【００２９】
また、本実施例１においては、カバー部材１７の各面に、内部から放射される光を集光するための集光部１７ａが配設されているので、内部から放射される光の一部は遠方にまで届く。従って遠方からの視認性も確保することができる。
【００３０】
さらに、図４に示すように、コーンバー３を使用する際には、図５（ａ），（ｂ）に示すように、正多角形筒状のカバー部材１７の正多角形の外接円の値をあらかじめ、コーンバー３の係止リング部３２の内径よりも小さな値となるように選んでおけば、保安灯１を外すことなく、コーンバー３の着脱を行うことができる。
【００３１】
なお、本実施例１においても、従来の保安灯と同様に専用の取付金具を用いれば、単管やフェンスや看板等にも装着することができる。
【符号の説明】
【００３２】
１  保安灯
２  カットコーン
３  コーンバー
１０  ソーラーパネル
１１  基盤部
１２  バッテリー収納部
１３，１７  カバー部材
１４  バッテリー
１５  発光体
１６  発光制御装置
１７ａ  集光部
１８  反射板部材
１８ａ，１８ｂ  光反射面部
２１  カットコーン本体
２２  台座部
２３  頂面部
２４  透孔部
３１  バー本体
３２  係止リング部
Ｒ  反射板
ｄ  深さ
ｌ  口径
【図１】
0003221094.tif 000003
【図２】
0003221094.tif 000004
【図３】
0003221094.tif 000005
【図４】
0003221094.tif 000006
【図５】
0003221094.tif 000007
【図６】
0003221094.tif 000008
【図７】
0003221094.tif 000009
【図８】
0003221094.tif 000010
【図９】
0003221094.tif 000011